(57)【要約】【課題】携帯電話端末に内蔵されたテレビジョン受信装置で、テレビジョン放送を視聴中に電話が着信した場合に、通話中の受信映像を記録して通話終了後に再生するプレイバック機能を端末に搭載すると、電話送受信操作とテレビ記録、再生操作を連続して行う必要があり、端末の操作性が低下する。【解決手段】電話送受信操作と連動した記録手段４を持つことで、テレビジョン放送を視聴中に電話が着信した場合でも、端末利用者の通話開始操作、通話終了操作と連動して受信画像の記録、再生処理を自動的に行うことができるので、操作性の良いプレイバック機能を搭載した携帯電話端末内蔵型テレビジョン受信装置を提供する。【選択図】  図１
2004336438.tif 000002
【特許請求の範囲】
【請求項１】
無線通信により電話送受信機能の通話制御を行う電話送受信手段と、テレビジョン放送を受信してテレビジョン信号受信処理を行うテレビ信号受信手段と、前記テレビジョン信号受信手段で得られた映像信号と音声信号を提示する映像音声提示手段と、前記テレビジョン信号受信手段で得られた映像信号と音声信号を記録、再生する記録手段とを備えるテレビジョン受信装置。
【請求項２】
記録手段は、電話の通話開始処理と連動してテレビジョン受信信号を記録することを特徴とする請求項１記載のテレビジョン受信装置。
【請求項３】
記録手段は、電話の通話終了処理と連動して記録していたテレビジョン受信信号を再生することを特徴とする請求項１記載のテレビジョン受信装置。
【請求項４】
記録手段は、テレビジョン受信信号の記録を継続しながら、通話終了と同時に記録時と同一速度で自動的に再生することを特徴とする請求項１記載のテレビジョン受信装置。
【請求項５】
記録手段は、電話通話中に記録していたテレビジョン受信信号の記録を継続しながら、通話終了と同時に記録時より早い速度で再生することを特徴とする請求項１記載のテレビジョン受信装置。
【発明の詳細な説明】
【０００１】
【発明の属する技術分野】
本発明は、携帯電話端末に内蔵するテレビジョン受信機に関するもので、電話の送受信中においてもテレビジョン放送の番組内容を途切れることなく視聴することが可能なテレビジョン受信装置に関する。
【０００２】
【従来の技術】
近年、携帯電話端末の分野では技術革新による高機能化が著しく、また同時に端末の大きさについても小型・軽量化が進んでいる。一方、テレビジョン放送の分野でもデジタル技術の導入による高画質、高機能化が進んでおり、地上波テレビジョン放送においては２００３年末からデジタル放送化が予定されている。この地上デジタル放送では、高精細な画質を持つハイビジョン放送以外に、移動体での受信に適したテレビジョン放送も予定されている。
【０００３】
この携帯電話端末の小型軽量化と高機能化、またテレビジョン放送の移動受信に適した放送方式の両方の特徴を融合した、地上デジタルテレビジョン放送受信機能搭載の携帯電話端末が今後各メーカから発売されると予測される。また従来のアナログテレビジョン放送受信機能においても受信機開発技術が発達しているので、より小型の受信機の開発も可能となり、携帯電話端末への搭載も可能となっている。
【０００４】
その際、従来のテレビジョン受信機では高付加価値機能の一つとして、プレイバック機能と呼ばれる機能がある。これはテレビジョン視聴時に一時的に席を外したりする場合に、席を離れている間のテレビジョン受信画像を記録装置に記録し、席に戻って来た際にその記録映像を再生することで、席を外していてもシームレスにテレビジョン映像を視聴することを実現した機能である（例えば、特許文献１参照）。
【０００５】
以下、図面を参照しながら、従来のテレビジョン受信装置の一例について説明を行う。
【０００６】
図６は、従来のテレビジョン受信装置のブロック構成図である。図６において２はテレビ信号受信手段であり、テレビジョン電波送信所から送信されたテレビジョン放送電波をテレビアンテナ５を用いて受信し、画像出力に必要な処理を行い、テレビジョン受信画像と受信音声の出力であるテレビ受信出力を出力する。
【０００７】
またテレビ信号受信手段２は前述したテレビ受信出力と記録手段４からの再生出力とを切り替えて出力する。３は映像音声提示手段であり、テレビ信号受信手段２からの映像信号をＣＲＴ（陰極線管）や液晶パネル、プラズマディスプレイパネル、有機ＥＬなどの様々な表示デバイスに表示する。同時にテレビ信号受信手段２からの音声信号を、スピーカなどを用いて再生する。４は記録手段であり、テレビ信号受信手段２からのテレビ受信信号を記録媒体に記録し、ユーザーの再生操作により記録媒体に記録した画像を再生して出力する。
【０００８】
このような構成により、テレビジョン放送を視聴している状態で視聴者が席を離れる際に、視聴者が記録開始操作をしてから席を離れると、テレビジョン受信機は受信中のテレビ受信信号を記録手段４に記録しはじめ、視聴者がテレビジョン受信機の前に戻って再生開始操作を行うと、テレビジョン受信機は記録手段４に記録された映像と音声の再生を開始し、映像音声提示手段３で再生することで、席を外していた間のテレビジョン放送の内容を見逃すことなく、連続したテレビジョン視聴を可能としている。
【０００９】
このような構成の機能を前述した携帯電話端末内蔵型のテレビジョン放送受信装置に搭載すると、テレビジョン受信機能を用いてテレビジョン放送を視聴している時に電話がかかって来た場合でも、電話通話中に受信したテレビジョン受信信号を記録して、電話の通話が終了した後に記録しておいた信号を再生することで、電話通話中も含めて全てのテレビジョン放送の内容を途切れることなく視聴することが可能となる。
【００１０】
【特許文献１】
特許第３１８９０３０号公報（第１−７頁、第１図）
【００１１】
【発明が解決しようとする課題】
しかしながら上記のような構成では、テレビジョン受信機能の中のプレイバック機能と電話送受信機能は全く独立しているため、テレビジョン放送視聴時に電話機能に着信があった場合、ユーザーは電話機能の通話開始操作を行う前にプレイバック機能でテレビジョン受信内容の記録を開始する操作を個別に行う必要がある。
【００１２】
また通話終了時にも、ユーザーは通話終了操作を行った後で、プレイバック機能で記録した受信内容を再生する操作が個別に必要となる。これらの処理のフローチャートを図７に示す。
【００１３】
このように従来の技術をそのまま携帯電話端末内蔵型テレビジョン放送受信装置に搭載すると、電話通話機能の操作とプレイバック機能の操作がそれぞれ煩雑になり、操作性が低下してしまう。
【００１４】
【課題を解決するための手段】
前記課題を解決するために、本発明の携帯電話端末内蔵型のテレビジョン受信装置は、携帯電話端末に内蔵するテレビジョン受信装置であって、電話送受信手段と、テレビ信号受信手段と、映像音声提示手段と、記録手段とを具備することを特徴とする。
【００１５】
本発明によれば、携帯電話端末内蔵型のテレビジョン受信装置を用いてテレビジョン放送を視聴している際に電話通話機能に電話が着信した場合でも、電話の着信操作とテレビジョン受信内容の記録開始、通話終了操作とテレビジョン受信内容の再生開始をそれぞれ連動させることにより、電話着信時のプレイバック機能を自動化し、快適なテレビジョン放送の視聴を可能にする携帯電話端末内蔵型のテレビジョン受信装置を提供することができる。
【００１６】
【発明の実施の形態】
以下本発明の実施の形態について、図面を参照しながら説明する。
【００１７】
（実施の形態１）
以下に本発明の実施の形態１における携帯電話端末内蔵型テレビジョン受信装置を図面を用いて説明する。図１は本発明の実施の形態１における携帯電話端末内蔵型テレビジョン受信装置の構成を示すブロック図である。
【００１８】
図１において、１は電話送受信手段であり、電波を用いて無線方式により基地局と通信し、音声による電話通話を行うために、端末使用者の音声を信号処理して搬送波に多重して電話送受信用アンテナ５を用いて基地局に送信する。また基地局から送信された電波は、電話送受信用アンテナ５を用いて受信して信号処理を行い、最終的に音声に変えて端末使用者が聞こえるようにする。
【００１９】
２はテレビ信号受信手段であり、テレビジョン放送受信用アンテナ６を用いてテレビジョン送信所から送信されたテレビジョン放送電波を受信し、テレビジョン受信信号を復調する。また復調後のテレビジョン受信信号と記録手段４からの再生信号とを切り替えて映像音声提示手段３へ出力する。
【００２０】
３は映像音声提示手段であり、テレビ信号受信手段２からの映像信号をＣＲＴや液晶パネル、プラズマパネルなどの様々な表示デバイスに表示する。またテレビ信号受信手段２からの音声信号は、スピーカなどを用いて再生する。
【００２１】
４は記録手段であり、テレビ信号受信手段２からのテレビジョン受信信号を記録媒体に記録する。また再生操作により記録した信号を再生して出力する。その際の記録媒体としては、ハードディスクドライブのように記録ディスクに磁気記録を行うことで記録、再生を行うもの、ＣＤ−Ｒ／ＲＷのように光を用いて記録、再生を行うもの、ＭＯのように光と磁気を併用して記録、再生を行うもの、またはフラッシュメモリやＤＲＡＭのように半導体メモリに記録、再生を行うものなどが考えられるが、この記録手段４では映像と音声が記録、再生できる記録媒体ならばその記録方法に依存することなく用いることができる。しかもこの記録媒体はハードディスクドライブやデュアルポートメモリなどのように記録処理と再生処理が同時に行えるという特徴がある。
【００２２】
図２は本発明の実施の形態１におけるプレイバック処理の時間軸上での処理内容を示し、図３はこれらの処理手順を示すフローチャートである。
【００２３】
以上のように構成された携帯電話端末内蔵型テレビジョン受信装置について、以下の図面を用いてその動作を説明する。図１において、テレビジョン放送受信用アンテナ６を用いてテレビ信号受信手段２でテレビジョン放送電波を受信し、受信した画像と音声を映像音声提示手段３で再生してテレビジョン放送内容を視聴している際に、電話通話機能に着信があった場合、電話送受信手段１は電話送受信用アンテナ５を用いて電話の着信を検知し、端末使用者に電話の着信があることを伝える。
【００２４】
端末使用者はその情報を受けて電話を着信する操作を行うと、その操作を受けて電話送受信手段１は電話通話機能の通話処理を開始するので端末使用者は電話の通話を開始することができるが、その通話処理と同時に電話送受信手段１がその電話着信操作情報をテレビ信号受信手段２にも伝達する。するとテレビ信号受信手段２は現在受信中のテレビジョン受信信号を記録手段４に記録し始める。このようにして記録手段４では電話通話中に受信したテレビジョン受信内容をすべて記録媒体に記録する。
【００２５】
その後、端末使用者が電話での通話を終了するために通話終了操作を行うと、電話送受信手段１は電話通話機能の通話処理を停止すると同時に、テレビ信号受信手段２はテレビジョン放送信号の記録手段４への記録を続けながら、記録を開始した先頭部分の記録内容を記録時の速度と同一速度で再生し始める。受信内容の記録を続けながら再生するのは、テレビジョン放送視聴の連続性を保つためであり、視聴中のテレビジョン番組が終了するか、端末使用者が視聴終了操作を行うまでテレビジョン受信信号を記録し続ける。
【００２６】
このような構成にすることにより、携帯電話端末内蔵型テレビジョン受信装置でテレビジョン放送を視聴中に電話が着信した場合でも、端末利用者が着信操作を行うだけで電話の通話開始処理とテレビジョン受信信号の記録開始処理が同時に行われ、また端末利用者が通話終了操作を行うだけで通話終了処理と記録手段４に記録中のテレビジョン受信信号の再生開始処理が同時に行われるので、操作性が非常に優れたプレイバック機能を持つ携帯電話端末内蔵型テレビジョン受信装置を提供することができる。
【００２７】
（実施の形態２）
以下に本発明の第２の実施の形態における携帯電話端末内蔵型テレビジョン受信装置を図を用いて説明する。図１は本発明の実施の形態における携帯電話端末内蔵型テレビジョン受信装置の構成を示すブロック図であるが、（実施の形態１）の構成と同一であるので、構成要素についての説明は省略する。また図４は本実施の形態におけるプレイバック処理の時間軸上での処理内容を示し、図５はこれらの処理手順を示すフローチャートである。
【００２８】
（実施の形態１）では通話終了後の記録信号再生については、記録時の速度と同一速度で再生すると説明したが、この構成だと番組終了もしくは視聴終了まで常に受信信号を記録し続けなくてはならない。つまり、テレビジョン放送受信処理と受信信号の記録処理、記録した信号の再生処理を同時に行う必要があり、端末の処理能力として高い能力が必要となり、また端末の消費電力も増加してしまう。
【００２９】
そこで本実施の形態では、通話終了後の記録信号再生について、記録時の速度よりも速い速度で再生するという構成をとる。再生時の画像は通常再生よりも若干早送りになったような再生動作となる。
【００３０】
再生開始の時点では映像音声提示手段３には記録手段４からの再生画像が表示されているが、単位時間当たりの受信信号記録量よりも信号再生量の方が上回るので、再生を続けることにより時間と共に記録手段４に蓄積された受信信号データが減少していく。最終的に記録手段４に蓄積された受信信号データがなくなった時点で、再生している信号とテレビジョン受信している信号が同一の信号となる。
【００３１】
この時、テレビ信号受信手段２は記録手段４からの再生信号ではなくテレビジョン放送受信信号を映像音声提示手段３に出力するように出力信号を切り替える。これ以降は映像音声提示手段３にはテレビ信号受信手段２で受信された受信信号が再生され、記録手段４では受信信号の記録、再生処理を行わないので、端末の処理能力と消費電力を抑えることが可能となる。
【００３２】
以上のように本実施例によれば、携帯電話端末内蔵型テレビジョン受信装置でテレビジョン放送を視聴中に電話が着信した場合でも、端末利用者が着信操作を行うだけで電話の通話開始処理とテレビジョン受信信号の記録開始処理が同時に行われ、また端末利用者が通話終了操作を行うだけで通話終了処理と記録手段４に記録中のテレビジョン受信信号の再生開始処理が同時に行われるので、操作性が非常に優れたプレイバック機能を持つ携帯電話端末内蔵型テレビジョン受信装置を提供することができる。
【００３３】
なお、以上の説明では、テレビジョン放送受信についてはその放送方式の形態を特定していないが、本発明の構成ではアナログテレビジョン放送方式の受信とデジタルテレビジョン放送方式の受信のどちらの場合であっても同様の効果を得ることができる。
【００３４】
また本発明では電話受信機能を有する機器を携帯電話端末と記したが、これは自動車に搭載する自動車電話においても同様の効果を得ることができる。
【００３５】
更に本発明ではテレビジョン放送受信に関して述べたが、これはテレビジョン放送以外の、例えば無線または有線のインターネット放送などにも適用可能である。
【００３６】
【発明の効果】
以上のように本発明は電話送受信手段、テレビ信号受信手段、映像音声提示手段、記録手段という構成を設けることにより、携帯電話端末内蔵型テレビジョン受信装置でテレビジョン放送を視聴中に電話が着信した場合でも、端末利用者の通話開始操作、通話終了操作と連動してテレビジョン受信画像の記録、再生を自動的に行うことができるので、操作性が非常に優れたプレイバック機能を持つ携帯電話端末内蔵型テレビジョン受信装置を提供することができる。
【図面の簡単な説明】
【図１】本発明の実施の形態１または実施の形態２における携帯電話端末内蔵型テレビジョン受信装置のブロック構成を示す図
【図２】同携帯電話端末内蔵型テレビジョン受信装置の時間軸上の処理内容を説明するための図
【図３】同携帯電話端末内蔵型テレビジョン受信装置の処理手順を示す図
【図４】本発明の第２の実施の形態の携帯電話端末内蔵型テレビジョン受信装置における時間軸上の処理内容を説明するための図
【図５】同携帯電話端末内蔵型テレビジョン受信装置の処理手順を示す図
【図６】従来のプレイバック機能付きテレビジョン受信装置のブロック構成を示す図
【図７】従来のプレイバック機能付きテレビジョン受信装置の処理手順を示す図
【符号の説明】
１  電話送受信手段
２  テレビ信号受信手段
３  映像音声提示手段
４  記録手段
５  電話送受信用アンテナ
６  テレビジョン放送受信用アンテナ
【図１】
2004336438.tif 000003
【図２】
2004336438.tif 000004
【図３】
2004336438.tif 000005
【図４】
2004336438.tif 000006
【図５】
2004336438.tif 000007
【図６】
2004336438.tif 000008
【図７】
2004336438.tif 000009